(57)【要約】【課題】  装置全体がコンパクトでかつ、薄型化が可能なレイアウトとするとともに、小型化を損なうことなく、妨害となるノイズを効果的にシールドする。【解決手段】  投写ユニット３０を中心として一側に電源回路基板６０と、アナログ信号処理基板６１を前後に並設し、投写ユニット３０を挟んでランプ駆動回路基板６４をアナログ信号処理基板６１と離して配置する。ドライバ回路基板３１、デジタル回路基板６２、スケーラー回路基板６３をシールドケース３９、７０、７１に収納し、シールドケース７０を電源回路基板６０、アナログ信号処理基板６１とドライバ回路基板３１との間を仕切るように立設するとともに、ドライバ回路基板３１をシールドケース７０，７１と支持フレーム３５の立ち上がり部３５ｂで三方で囲むように配置する。【選択図】  図４
2006098479.tif 000002
【特許請求の範囲】
【請求項１】
ランプユニットと、このランプユニットから投写された光束を画像情報に応じて変調して光学像を形成するとともに、該光学像を拡大投写する投写ユニットと、この投写ユニットから投写される光学像を反射する反射ミラーと、前記筐体の一側面に露出して前記反射ミラーからの光学像を投影するためのスクリーンと、これらランプユニット、投写ユニット、反射ミラー及びスクリーンを収容する筐体を備える背面投写型映像装置であって、前記投写ユニットと、該投写ユニットを駆動するドライバ回路基板とを一体化して前記筐体に固定するための支持フレームを設け、この支持フレームは、少なくとも前記筐体に固定される底板部と、この底板部の一側縁から立設した立ち上がり板とを備え、前記投写ユニットは前記底板部から浮かせるように前記立ち上がり板に固定され、その投写ユニットと前記底板部との間に形成される空間部に少なくとも前記ドライバ回路基板の一部を介在させて該ドライバ回路基板を前記底板部に固定したことを特徴とする背面投写型映像装置。
【請求項２】
前記筐体内に少なくとも、前記光学ユニットの駆動制御部などに電力を供給する電源回路基板と、デジタルチューナーなどから送られる映像信号などのデジタル信号を処理するデジタル回路基板と、外部端子などから送られる音声信号などのアナログ信号を処理するアナログ信号処理基板と、このアナログ信号処理基板から送られる信号に基づいて表示形式を変換するスケーラー回路基板を配置するとともに、少なくとも前記ドライバ回路基板と、前記デジタル回路基板とスケーラー回路基板を覆うシールドケースを設け、そのデジタル回路基板とスケーラー回路基板を収容したシールドケースを前記ドライバ回路基板の直交する二辺に近接させ立設するとともに、これらシールドケースと前記支持フレームの立ち上がり板とを前記ドライバ回路基板の三方を囲むように配置したことを特徴とする請求項１記載の背面投写型映像装置。
【請求項３】
前記筐体のほぼ中央に投写ユニットを配置し、その投写ユニットの一側に前記アナログ信号処理基板と電源回路基板とを並設し、これらアナログ信号処理基板及び電源回路基板と前記ドライバ回路基板との間に前記デジタル回路基板を収納したシールドケースを介在させ、該シールドケースでアナログ信号処理基板及び電源回路基板と前記ドライバ回路基板とを仕切るように構成したことを特徴とする請求項２記載の背面投写型映像装置。
【請求項４】
ランプユニットを駆動するランプ駆動回路基板を設け、このランプ駆動回路基板を前記投写ユニットを挟んで前記アナログ信号処理基板と離反させて配置したことを特徴とする請求項３記載の背面投写型映像装置。
【請求項５】
前記ランプユニットに備えたランプを着脱操作するためのランプ交換部が前記筐体内の基板未実装領域に形成されていることを特徴とする請求項１記載の背面投写型映像装置。
【請求項６】
前記投写ユニットは、投写レンズのピントを調整するピント調整機能を備えるとともに、前記筐体の前面側に前記ピント調整機能を筐体の外側から操作可能な作業用開口部を設けたことを特徴とする請求項１記載の背面投写型映像装置。
【発明の詳細な説明】
【技術分野】
【０００１】
本発明は、投写ユニットから投写される光学像を反射して筐体の一側面に露出して設けたスクリーンに投影させる背面投写型映像装置に関する。
【背景技術】
【０００２】
従来、リアプロジェクタなどの背面投写型映像装置として特許文献１に記載されたものが知られている。ここで開示されている背面投写型映像装置は、ランプユニットから投写された光束を画像情報に応じて変調して光学像を形成するとともに、該光学像を拡大投写する投写ユニットと、投写画像を反射する反射ミラーと、反射ミラーからは反射した光学像を投影するスクリーンを箱状の筐体に収納し、反射ミラーで反射した光学像をスクリーン上に投影するように構成している。
【０００３】
【特許文献１】特開２００３−３３７３７７号公報
【発明の開示】
【発明が解決しようとする課題】
【０００４】
このようなリアプロジェクタは、光学像を反射してスクリーンに投影することから、従来のＣＲＴなどで表示するテレビジョン受像機と比較して大画面で映像を映し出すことが可能であるため、近年、家庭内でのホームシアター等の用途として普及しつつある。一方で、家庭内でのホームシアターは、省スペース化が望まれており、リアプロジェクタを構成するランプユニット、投写ユニット、反射ミラーなどの構成部品は勿論、投写ユニットを駆動するドライバ回路基板、投写ユニットなどに電力を供給する電源回路基板、映像信号などのデジタル信号を処理するデジタル回路基板や音声信号などのアナログ信号を処理するアナログ信号処理基板、アナログ信号処理基板から送られる信号に基づいて所定の表示形式（解像度）に変換するスケーラー回路基板といった各種回路基板のレイアウトを工夫してできるだけ集約的に配置することによって、全体の大きさを小さくし、かつ薄型化することが求められている。また、このように、各種回路基板を集約的に配置する場合、回路基板からノイズが放射され、特に、近年では回路ユニットの集積回路（ＩＣ）基板の高周波化が進み、様々な障害が発生する。例えば、背面投写型映像装置の場合、電磁シールド性能を低下させたり不要反射光を通過させる原因となるため、装置の小型化を図る上で、各種回路基板を集約的に配置する場合、ノイズ対策は極めて重要となる。また、背面投写型映像装置においては、光源となるランプは、高熱を発生することから、比較的寿命が短く、ランプの交換が不可欠である。このため、ランプの交換が容易で、かつ安全な交換作業を行えるとともに、スクリーンに投影される光学像のピント調整といったメンテナンスに伴う作業の容易性も重要な課題となる。
【０００５】
本発明は上記課題を解決するものであり、装置全体がコンパクトでかつ、薄型化が可能なレイアウトとするとともに、小型化を損なうことなく、妨害となるノイズを効果的にシールドし、かつ、メンテナンス性にも優れた背面投写型映像装置を提供することを目的とする。
【課題を解決するための手段】
【０００６】
請求項１に係る背面投写型映像装置は、ランプユニットと、このランプユニットから投写された光束を画像情報に応じて変調して光学像を形成するとともに、該光学像を拡大投写する投写ユニットと、この投写ユニットから投写される光学像を反射する反射ミラーと、前記筐体の一側面に露出して前記反射ミラーからの光学像を投影するためのスクリーンと、これらランプユニット、投写ユニット、反射ミラー及びスクリーンを収容する筐体を備える背面投写型映像装置であって、前記投写ユニットと、該投写ユニットを駆動するドライバ回路基板とを一体化して前記筐体に固定するための支持フレームを設け、この支持フレームは、少なくとも前記筐体に固定される底板部と、この底板部の一側縁から立設した立ち上がり板とを備え、前記投写ユニットは前記底板部から浮かせるように前記立ち上がり板に固定され、その投写ユニットと前記底板部との間に形成される空間部に少なくとも前記ドライバ回路基板の一部を介在させて該ドライバ回路基板を前記底板部に固定したことを特徴とする。
【０００７】
請求項１の構成により、投写ユニットを支持フレームの底板部から浮かせることで、投写ユニットは反射ミラーから反射される光学像の光路に掛からない範囲内で投写ユニットの位置をできるだけ高く設定することが可能となるから、筐体の全高を低く抑えられる。また、投写ユニットを浮かせることによって、投写ユニットと支持フレームの底板部との間にドライバ回路基板を配置する空間部が形成され、その空間部にドライバ回路基板を固定することによって、ドライバ回路基板の一部が投写ユニットと重なって上下に配置され、投写ユニットの下部に形成される空間部をドライバ回路基板の取付スペースとして有効利用することが可能となる。
【０００８】
請求項２に係る背面投写型映像装置は、請求項１記載の背面投写型映像装置において、前記筐体内に少なくとも、前記光学ユニットの駆動制御部などに電力を供給する電源回路基板と、デジタルチューナーなどから送られる映像信号などのデジタル信号を処理するデジタル回路基板と、外部端子などから送られる音声信号などのアナログ信号を処理するアナログ信号処理基板と、このアナログ信号処理基板から送られる信号に基づいて表示形式を変換するスケーラー回路基板を配置するとともに、少なくとも前記ドライバ回路基板と、前記デジタル回路基板とスケーラー回路基板を覆うシールドケースを設け、そのデジタル回路基板とスケーラー回路基板を収容したシールドケースを前記ドライバ回路基板の直交する二辺に近接させ立設するとともに、これらシールドケースと前記支持フレームの立ち上がり板とを前記ドライバ回路基板の三方を囲むように配置したことを特徴とする。
【０００９】
請求項２の構成により、ドライバ回路基板はデジタル回路基板を収納するシールドケース、スケーラー回路基板を収納するシールドケース、立ち上がり板によって三方を囲まれ、かつ、ドライバ回路基板自体、シールドケースで覆われているから、電磁シールドが確実に行われるとともにドライバ回路基板に混入する高周波ノイズを２組のシールドケースと立ち上がり板によって遮ることでドライバ回路基板へのノイズの混入を効果的に抑えることが可能となる。
【００１０】
請求項３に係る背面投写型映像装置は、請求項２記載の背面投写型映像装置において、前記筐体のほぼ中央に投写ユニットを配置し、その投写ユニットの一側に前記アナログ信号処理基板と電源回路基板とを並設し、これらアナログ信号処理基板及び電源回路基板と前記ドライバ回路基板との間に前記デジタル回路基板を収納したシールドケースを介在させ、該シールドケースでアナログ信号処理基板及び電源回路基板と前記ドライバ回路基板とを仕切るように構成したことを特徴とする。
【００１１】
請求項３の構成により、アナログ信号処理基板と電源回路基板あるいはドライバ回路基板から輻射されるノイズがデジタル回路基板を収納したシールドケースによって仕切られるから、各基板相互のノイズの混入を効果的に抑えることが可能となる。
【００１２】
請求項４に係る背面投写型映像装置は、請求項３記載の背面投写型映像装置において、ランプユニットを駆動するランプ駆動回路基板を設け、このランプ駆動回路基板を前記投写ユニットを挟んで前記アナログ信号処理基板と離反させて配置したことを特徴とする。
【００１３】
請求項４の構成により、ランプ駆動回路基板はランプを点灯させるための高電圧（約１０００Ｖ）を発生させることから、高周波ノイズが発生するが、ランプ駆動回路基板が投写ユニットを挟んでアナログ信号処理基板と可及的に離して配置されるから、ランプ駆動回路基板から輻射される高周波ノイズがアナログ信号処理基板に及ぼす影響を抑制することができる。
【００１４】
請求項５に係る背面投写型映像装置は、請求項１記載の背面投写型映像装置において、前記ランプユニットに備えたランプを着脱操作するためのランプ交換部が前記筐体内の基板未実装領域に形成されていることを特徴とする。
【００１５】
請求項５の構成により、ランプの交換に際し、ランプ交換口部からランプの交換を行うが、ランプ交換口部は回路基板や電子部品などが存在しない基板未実装領域に形成されているから、ランプの交換作業時に作業者が誤って回路基板や電子部品に触れる心配がない。
【００１６】
請求項６に係る背面投写型映像装置は、請求項１記載の背面投写型映像装置において、前記投写ユニットは、投写レンズのピントを調整するピント調整機能を備えるとともに、前記筐体の前面側に前記ピント調整機能を筐体の外側から操作可能な作業用開口部を設けたことを特徴とする。
【００１７】
請求項６の構成により、作業者はスクリーンに投影された画面を確認しながら投写レンズのピント調整を行うことができる。
【発明の効果】
【００１８】
請求項１に係る背面投写型映像装置によれば、ランプユニットと、このランプユニットから投写された光束を画像情報に応じて変調して光学像を形成するとともに、該光学像を拡大投写する投写ユニットと、この投写ユニットから投写される光学像を反射する反射ミラーと、前記筐体の一側面に露出して前記反射ミラーからの光学像を投影するためのスクリーンと、これらランプユニット、投写ユニット、反射ミラー及びスクリーンを収容する筐体を備える背面投写型映像装置であって、前記投写ユニットと、該投写ユニットを駆動するドライバ回路基板とを一体化して前記筐体に固定するための支持フレームを設け、この支持フレームは、少なくとも前記筐体に固定される底板部と、この底板部の一側縁から立設した立ち上がり板とを備え、前記投写ユニットは前記底板部から浮かせるように前記立ち上がり板に固定され、その投写ユニットと前記底板部との間に形成される空間部に少なくとも前記ドライバ回路基板の一部を介在させて該ドライバ回路基板を前記底板部に固定したものであるから、投写ユニットをスクリーンに対して可及的に近づけて取り付けることが可能となり、筐体の全高を低く抑えることができるから装置の小型化を図ることができる。また、投写ユニットと底板部との間にドライバ回路基板を配置する空間部が形成され、その空間部をドライバ回路基板の取付スペースとして有効利用することが可能となり、筐体内にドライバ回路基板を取り付けるための無駄なスペースが生じない。
【００１９】
請求項２に係る背面投写型映像装置によれば、請求項１記載の背面投写型映像装置において、前記筐体内に少なくとも、前記光学ユニットの駆動制御部などに電力を供給する電源回路基板と、デジタルチューナーなどから送られる映像信号などのデジタル信号を処理するデジタル回路基板と、外部端子などから送られる音声信号などのアナログ信号を処理するアナログ信号処理基板と、このアナログ信号処理基板から送られる信号に基づいて表示形式を変換するスケーラー回路基板を配置するとともに、少なくとも前記ドライバ回路基板と、前記デジタル回路基板とスケーラー回路基板を覆うシールドケースを設け、そのデジタル回路基板とスケーラー回路基板を収容したシールドケースを前記ドライバ回路基板の直交する二辺に近接させ立設するとともに、これらシールドケースと前記支持フレームの立ち上がり板とを前記ドライバ回路基板の三方を囲むように配置したことによって、電磁シールドが確実に行われるとともにドライバ回路基板に混入する高周波ノイズなどを効果的に抑えることができる。
【００２０】
請求項３に係る背面投写型映像装置によれば、請求項２記載の背面投写型映像装置において、前記筐体のほぼ中央に投写ユニットを配置し、その投写ユニットの一側に前記アナログ信号処理基板と電源回路基板とを並設し、これらアナログ信号処理基板及び電源回路基板と前記ドライバ回路基板との間に前記デジタル回路基板を収納したシールドケースを介在させ、該シールドケースでアナログ信号処理基板及び電源回路基板と前記ドライバ回路基板とを仕切るように構成したものであるから、各基板相互への高周波ノイズの混入を効果的に抑えることができる。また、並設したアナログ信号処理基板と電源回路基板の上方に例えば、ディスク記憶再生ユニット及び／又はハードディスクユニットなどの機器を取り付け可能な広いスペースが形成され、これらの記憶再生装置を組み合わせた複合機とした場合、スペースの有効利用が可能となる。
【００２１】
請求項４に係る背面投写型映像装置によれば、請求項３記載の背面投写型映像装置において、ランプユニットを駆動するランプ駆動回路基板を独立して形成するとともに、前記投写ユニットを挟んで前記ランプ駆動回路基板及び前記アナログ信号処理基板と電源回路基板とを離反させて配置したものであるから、ランプ駆動回路基板からのノイズがアナログ信号処理基板へ混入することを効果的に抑えることができる。
【００２２】
請求項５に係る背面投写型映像装置によれば、請求項１記載の背面投写型映像装置において、前記ランプユニットに備えたランプを着脱操作するためのランプ交換部が前記筐体内の基板未実装領域に形成されているから、ランプの交換作業時に作業者が誤ってキャビネット内の回路基板や電子部品に触れる心配がないために安全にランプの交換作業を行うことができる。
【００２３】
請求項６に係る背面投写型映像装置によれば、請求項１記載の背面投写型映像装置において、前記投写ユニットは、投写レンズのピントを調整するピント調整機能を備えるとともに、前記筐体の前面側に前記ピント調整機能を筐体の外側から操作可能な作業用開口部を設けたものであるから、作業者はスクリーンに投影された画面を確認しながら投写ユニットのピント調整作業を行うことができから、メンテナンス性に優れる。
【発明を実施するための最良の形態】
【００２４】
以下、本発明を実施するための最良の形態としての実施例を以下に説明する。もちろん、本発明は、その発明の趣旨に反しない範囲で、実施例において説明した以外の構成のものに対しても容易に適用可能なことは説明を要するまでもない。
【００２５】
図１は、本発明に係る背面投写型映像装置としてのリアプロジェクタの概略構成を示す側面から見た断面図、図２は平断面図、図３は正面側から見た透視図、図４は基板のレイアウトを示す平面図、図５は投写ユニットのピント調整作業を示す投写ユニットの側面図である。同図を参照してリアプロジェクタ１の主な構成について説明する。リアプロジェクタ１は、光源から射出された光束を画像情報に応じて変調して光学像を形成し、この光学像をスクリーンに拡大投写するものであり、筐体を構成するキャビネット２と、キャビネット２内に配置される投写ユニット３０と、この投写ユニット３０から投写された光学像を反射する反射ミラー４０と、反射ミラー４０からの光学像を投影するスクリーン５０などを主要構成部品としている。
【００２６】
キャビネット２は、下部キャビネット５と、この下部キャビネット５の上部に固定されるバックキャビネット６とフロントキャビネット７によって構成されている。下部キャビネット５の内底部には前記投写ユニット３０が固定されるとともに、左右一対のスピーカー８，８が固定されている。また、バックキャビネット６には反射ミラー４０が固定され、この反射ミラー４０と対向して前記フロントキャビネット７の前面に形成する表示窓７ａに臨んで前記スクリーン５０が固定されている。
【００２７】
投写ユニット３０は、光源となるランプユニット２０から照射された光束を光学的に処理して画像情報に対応した光学像を形成し、この光学像を拡大して投写するユニットであり、投写ユニット３０を駆動するドライバ回路基板３１及び投写レンズ３２等を主要構成部として備えるものである。また、前記ランプユニット２０は、光源としてはハロゲンランプやメタルハイランドランプなどの高輝度ランプ２１を備え、この高輝度ランプ２１を箱状のランプハウジング２２内に収容している。なお、ランプハウジング２２には図示しないファンが配置されていて、ファンの駆動によってランプ２１から発する熱を外部に放出するようにしている。また、ランプハウジング２２に収容するランプ２１は、寿命によって交換する必要がある。このとき、ユーザがランプハウジング２２の交換作業を行えるように、図２に示すように下部キャビネット５の側面にはランプハウジング２２と対応する位置にランプ交換部たる開口部１１が形成されている。この開口部１１は通常、ヒンジ機構１２などによって下部キャビネット５に装着された開閉蓋１３によって覆われており、ランプ２１を交換する際、蓋体１３を開いて開口部１１を開放することによって、ランプ２１の着脱作業を行うようにしている。また、投写ユニット３０のケーシング３３には、投写レンズ３２が固定され、そのケーシング３３内には、図示はしないが、ランプ２１からの光を略平行光にするリレーレンズ、リレーレンズを透過した光を透過光と反射光に分割する偏光ビームスプリッター、偏光ビームスプリッターで反射、透過した光を変調し映像光とする反射型液晶パネルからなる偏光変換素子などの構成部品が一体的に固定されてユニット化されており、偏光変換素子によって変調された映像光がケーシング３３の上面に組み込まれた前記投写レンズ３２によって前記反射ミラー４０に投写される。このように、各種構成部品をユニットする投写ユニット３０のケーシング３３と前記ランプ２１のランプハウジング２２とを連結することによって投写ユニット３０とランプユニット２０とをユニット化し、さらに、このように一体的にユニット化された投写ユニット３０と前記ドライバ回路基板３１とを金属製の支持フレーム３５によって一体化して下部キャビネット５のほぼ中央部に固定している。また、図５で示すように、前記投写レンズ３２を組み込んだ保持枠２５はピント調整用の雄ネジ部２６が形成され、投写ユニット３０のケーシング３３には雄ネジ部２６をねじ込む雌ネジ部２７が形成されとともに、ケーシング３３には雌ネジ部２７を押圧して保持枠２５を固定する固定ねじ２８が螺着されている。投写ユニット３０のピント調整に際して、保持枠２５を回して投写ユニット３０の高さを調整してケーシング３３内に組み込まれる複数のミラー群に対する投写レンズ３２のピントを調整した後、固定ねじ２８によって投写レンズ３２の高さ方向の位置を固定するものであって、これら雄ネジ部２６、雌ネジ部２７、固定ねじ２８によって投写ユニット３０のピント調整機構を構成している。また、図５で示すように、下部キャビネット５の前面には作業用開口部２９が形成され、その作業用開口部２９から手Ｈを差し入れて投写ユニット３０のピント調整及びピント調整後の投写レンズ３２の固定作業がリアプロジェクタ１の前面側から行えるようになっている。なお、作業用開口部２９は着脱可能な化粧パネル５ａによって通常は塞がれた状態となっている。
【００２８】
支持フレーム３５は底板部３５ａと、この底板部３５ａの一側から立ち上がり部３５ｂを立設して全体としてほぼＬ型に形成され、その立ち上がり部３５ｂにランプユニット２０を一体化した投写ユニット３０のケーシング３３をねじ止めしている。また、底板部３５ａには投写ユニット３０を駆動するための前記ドライバ回路基板３１を固定する取付片３６を切り起し形成し、この取付片３６にほぼ水平に載置したドライバ回路基板３１をねじ３７で固定している。このようにして、投写ユニット３０、ランプユニット２０及びドライバ回路基板３１を固定した支持フレーム３５は、下部キャビネット５の底部及び下部キャビネット５の前面に一体形成するボス部３６ａにねじ３７によって固定されている。また、支持フレーム３５に固定される投写ユニット３０は、下部キャビネット５の底部に固定される底板部３５ａから浮かせるように、立ち上がり部３５ｂの上部に固定されている。すなわち、図１に示すように、投写ユニット３０は反射ミラー４０から反射される光学像の光路Ｒに掛からない範囲で投写ユニット３０の位置をできるだけ高く設定することが可能となるから、リアプロジェクタ１の全高も低く抑えられる。さらに、図１に示すように、投写ユニット３０を固定する立ち上がり部３５ｂを垂線に対して３°内側に傾斜させて、底板部３５ａに対する立ち上がり部３５ｂの傾斜角αを８７°に設定している。このように立ち上がり部３５ｂを３°内側に傾斜すれば、投写レンズ３２の光軸３２ａをバックキャビネット６側に傾斜させることができる。これにより、投写レンズ３２からの光学像を反射する反射ミラー４０を起立方向に１．５°傾斜させることが可能となるから、その分、キャビネット２、ひいてはリアプロジェクタ１の薄型化が可能となる。さらに、投写ユニット３０を浮かせることによって、投写ユニット３０と底板部３５ａとの間にドライバ回路基板３１を配置する空間部３８が形成され、その空間部３８にドライバ回路基板３１を固定することによって、ドライバ回路基板３１の一部が投写ユニット３０と重なって上下に配置されことになる。これにより、投写ユニット３０の下部に形成される空間部３８をドライバ回路基板３１の取付スペースとして有効利用することが可能となる。また、支持フレーム３５の底板部３５ａにはドライバ回路基板３１を覆うシールドケース３９がねじ止めされている。
【００２９】
前述したように、投写ユニット３０とドライバ回路基板３１は支持フレーム３５によって下部キャビネット５のほぼ中央部に固定され、その投写ユニット３０を中心として投写ユニット３０、リアプロジェクタ１の駆動及びこれらの制御するための各種の基板が下部キャビネット５の底部に固定されている。図４は各基板のレイアウトを示す平面図であり、同図で示すように、スクリーン５０を前面側とした場合、投写ユニット３０の図示左側には電源回路基板６０と、アナログ信号処理基板６１が前後に並設され、これら電源回路基板６０及びアナログ信号処理基板６１と前記投写ユニット３０との間にデジタル回路基板６２が配置されている。また、投写ユニット３０の背面側にはスケーラー回路基板６３が配置され、ランプユニット２０側となる投写ユニット３０の図示右側には、ランプ駆動回路基板６４が下部キャビネット５の背面側に配置されている。
【００３０】
前記電源回路基板６０はランプ駆動回路基板６４や各部信号系及び制御用マイコン（図示せず）に電源を供給している。前記アナログ信号処理基板６１には、アナログチューナ６５、入出力端子６６が実装され、アナログチューナ６５から入力されたアナログ信号を入出力端子６６から外部機器に出力するとともに、入出力端子６６から入力されたアナログ信号をスケーラー回路基板６３に出力する。また、アナログ信号処理基板６１には音声多重信号やサラウンド信号を生成するためのオーディオブロックを備え、音声信号などのアナログ信号を処理する。デジタル回路基板６２は、デジタルチューナー、デジタルチューナー入力回路及びデジタル信号をアナログ信号に変換するＤ／Ａコンバータ（図示せず）を備え、前記アナログ信号処理基板６１及びスケーラー回路基板６３にデジタル信号を送信する。スケーラー回路基板６３はアナログ信号処理基板６１から送られる信号に基づいて所定の表示形式（解像度）に変換し、主にスクリーン５０に表示するための処理を行う。また、スケーラー回路基板６３はビデオデコーダ回路（図示せず）を備え、圧縮された入力信号をデコードする機能を有している。ランプ駆動回路基板６４は前記電源回路基板６０から供給された電圧を制御し、ランプ２１を点灯させるための高電圧（約１０００Ｖ）を発生させてドライバ回路基板３１に出力するトランスを備えたランプ制御用の基板であり、ドライバ回路基板３１は、ランプ駆動回路基板６４から出力された電圧に基づいてランプ２１のオン・オフ、表示画面のホワイトバランスやブライト等の明るさなどを制御する投写ユニット３０の制御用基板である。なお、ランプユニット２０側となる投写ユニット３０の図示右側に配置されるランプ駆動回路基板６４は、ランプユニット２０の側方奥側に配置され、ランプユニット２０と前記下部キャビネット５の側面に形成する開口部１１との間は回路基板や電子部品などが存在しない基板未実装領域６７であり、この基板未実装領域６７に臨んで前記ランプ２１を収納するランプハウジング２２にランプ交換口２２ａが形成されており、ランプ２１の交換作業時において、下部キャビネット５の開口部１１から手を差し入れてランプハウジング２２のランプ交換口２２ａからランプ２１を交換する際、回路基板や電子部品に触れることがない。また、前記デジタル回路基板６２とスケーラー回路基板６３は金属製のシールドケース７０、７１によって周囲を覆われている。これらのシールドケース７０、７１は電磁ノイズの漏れを防止する機能を有しており、これらのシールドケース７０、７１はドライバ回路基板３１の直交する二辺、本実施例では、デジタル回路基板６２のシールドケース７０がドライバ回路基板３１の左側縁、スケーラー回路基板６３のシールドケース７１がドライバ回路基板３１の後端縁に沿って立設されている。また、ドライバ回路基板３１の左側縁に沿って立設されたデジタル回路基板６２のシールドケース７０は、電源回路基板６０、アナログ信号処理基板６１とドライバ回路基板３１との間に介在してこれら電源回路基板６０、アナログ信号処理基板６１とドライバ回路基板３１とを仕切るように立設され、かつ、ドライバ回路基板３１の後端縁に沿って立設されたスケーラー回路基板６３のシールドケース７１は、投写ユニット３０を固定する支持フレーム３５の立ち上がり部３５ｂと対向して投写ユニット３０と下部キャビネット５との間に立設され、これらシールドケース７０，７１と支持フレーム３５の立ち上がり部３５ｂによってドライバ回路基板３１が三方を囲まれる。また、ドライバ回路基板３１は、前述したように支持フレーム３５に固定したシールドケース３９で覆われているから、電磁シールドが確実に行われるとともに各シールドケース７０，７１と支持フレーム３５の立ち上がり部３５ｂとで三方を囲まれているから、スケーラー回路基板６３やデジタル回路基板６２からのノイズがドライバ回路基板３１に混入するのを効果的に抑えることができる。特に、デジタル回路基板６２は、デジタル回路基板６２に搭載されたデジタルチューナからのＣＨ周波数などによる高調波ノイズが輻射され、かつデジタル信号のＤ／Ａ変換を行うことによって、アナログ信号を得る構成となっており、クロック周波数は極めて高い周波数となり、デジタル回路基板６２から輻射される高周波ノイズは、極めてレベルが大きくなり、デジタル回路基板６２から輻射される高周波ノイズが画像情報に応じて変調して光学像を形成するドライバ回路基板３１に混入すると、スクリーン５０に表示される映像にノイズが混入することとなるため、ドライバ回路基板３１に混入するノイズ対策は重要である。また、デジタル回路基板６２を収納するシールドケース７０は、ドライバ回路基板３１と電源回路基板６０及びアナログ信号処理基板６１とを仕切るように立設されているから、これら電源回路基板６０、アナログ信号処理基板６１及びデジタル回路基板６２の相互間のノイズの混入も抑制できる。さらに、ランプ駆動回路基板６４はランプユニット２０側に配置され、ランプ２１と近い位置関係にあるから、ランプ２１とランプ駆動回路基板６４との配線作業が容易であるとともに、ランプ駆動回路基板６４はランプ２１を点灯させるための高電圧（約１０００Ｖ）を発生させることから、高周波ノイズが発生するが、ランプ駆動回路基板６４が投写ユニット３０を挟んでアナログ信号処理基板６１と可及的に離れて配置されているから、ランプ駆動回路基板６４から輻射されるノイズがアナログ信号処理基板６１へ混入することも効果的に抑制することができる。
【００３１】
以上のように、本実施例においては、投写ユニット３０を固定する支持フレーム３５を底板部３５ａと立ち上がり部３５ｂとを有してほぼＬ型に形成し、投写ユニット３０を底板部３５ａから浮かせるように、立ち上がり部３５ｂの上部に固定することによって、投写ユニット３０と底板部３５ａとの間にドライバ回路基板３１を配置する空間部３８が形成され、この空間部３８にドライバ回路基板３１を固定することによって、ドライバ回路基板３１の一部と投写ユニット３０とが重なり合った状態で上下に配置することができる。これにより、支持フレーム３５に固定される投写ユニット３０とドライバ回路基板３１をコンパクトにユニット化することが可能である。さらに、投写ユニット３０は反射ミラー４０から反射される光学像の光路Ｒに掛からない範囲で投写ユニット３０の位置をできるだけ高く設定することが可能となるから、リアプロジェクタ１の全高も低く抑えられる。さらに、立ち上がり部３５ｂを垂線に対して３°内側に傾斜させて、投写レンズ３２の光軸３２ａをバックキャビネット６側に傾斜させることができるため、投写レンズ３２からの光学像を反射する反射ミラー４０を起立方向に１．５°傾斜させることが可能となるから、その分、キャビネット２、ひいてはリアプロジェクタ１の薄型化が可能となる。
【００３２】
また、支持フレーム３５によって投写ユニット３０を下部キャビネット５のほぼ中央部に配し、その投写ユニット３０を中心として投写ユニット３０の一側に電源回路基板６０と、アナログ信号処理基板６１を前後に並設し、投写ユニット３０の他側にランプ駆動回路基板６４を配置することにより、前後に並設した電源回路基板６０とアナログ信号処理基板６１の上方に例えば、ディスク記憶再生ユニット及び／又はハードディスクユニットなどの機器を取り付け可能な広いスペースが形成され、これらの記憶再生装置を組み合わせた複合機とした場合、スペースの有効利用が可能となる。さらに、投写ユニット３０を挟んでアナログ信号処理基板６１と高周波ノイズを発生するランプ駆動回路基板６４とを可及的に離して配置することができ、ノイズ源となるランプ駆動回路基板６４からのノイズがアナログ信号処理基板６１に混入しにくくなる。さらに、デジタル回路基板６２とスケーラー回路基板６３及びドライバ回路基板３１をシールドケース７０、７１、３９で覆うことによって電磁ノイズのシールド性を高めることができるとともに、デジタル回路基板６２を収納したシールドケース７０を電源回路基板６０及びアナログ信号処理基板６１とドライバ回路基板３１との間に介在させ、これら電源回路基板６０及びアナログ信号処理基板６１とドライバ回路基板３１とを仕切るように立設することにより、電源回路基板６０、アナログ信号処理基板６１及びドライバ回路基板３１の相互間のノイズの混入を抑制できる。さらに、デジタル回路基板６２とスケーラー回路基板６３を収納するシールドケース７０、７１と支持フレーム３５の立ち上がり部３５ｂによってドライバ回路基板３１の三方を囲こむこととなり、ドライバ回路基板３１に混入するノイズを効果的に抑えることができる。
【００３３】
また、ランプハウジング２２に収容するランプ２１は、寿命によって交換する必要があるが、ランプ２１の交換に際し、下部キャビネット５の側面に形成する開口部１１を開き、ランプハウジング２２のランプ交換口２２ａからランプ２１の交換を行うことによって、ランプユニット２０と開口部１１との間は回路基板や電子部品などが存在しない基板未実装領域６７であるから、ランプの交換作業時に作業者が誤ってキャビネット２内の回路基板や電子部品に触れる心配がないため、作業を安全に行えるとともに、短絡による電気的なトラブルを誘発する心配もない。さらに、下部キャビネット５の前面に開閉可能な作業用開口部２９が形成され、その作業用開口部２９から手Ｈを差し入れて投写ユニット３０のピント調整及びピント調整後の投写レンズ３２の固定作業を行えるので、作業者はスクリーン５０に投影された画面を確認しながら投写レンズ３２のピント調整作業を行うことができ、メンテナンス性にも優れる。
【００３４】
以上、本発明の実施例について詳述したが、本発明は、前記実施例に限定されるものではなく、本発明の要旨の範囲内で種々の変形実施が可能である。例えば、投写ユニットのピントの調整機構などは適宜選定すればよい。さらに、キャビネットや各構成部品の形状及び取付構造なども前記実施例に限定されるものではなく、適宜選定すればよい。
【図面の簡単な説明】
【００３５】
【図１】本実施例に係るリアプロジェクタの概略構成を示す側面から見た断面図である。
【図２】同上、リアプロジェクタの平断面図である。
【図３】同上、リアプロジェクタを正面側から見た透視図である。
【図４】同上、基板のレイアウトを示す平面図である。
【図５】同上、投写ユニットのピント調整作業を示す投写ユニットの側面図である。
【符号の説明】
【００３６】
１  リアプロジェクタ
２  キャビネット（筐体）
２０  ランプユニット
２１  ランプ
２２ａ  ランプ交換口（ランプ交換部）
２２  ランプハウジング
２６  雄ネジ部（ピント調整機能）
２７  雌ネジ部（ピント調整機能）
２８  固定ねじ（ピント調整機能）
２９  作業用開口部
３０  投写ユニット
３２  投写レンズ
３１  ドライバ回路基板
３５  支持フレーム
３５ａ  底板部
３５ｂ  立ち上がり部
３８  空間部
３９，７０，７１  シールドケース
４０  反射ミラー
５０  スクリーン
６０  電源回路基板
６１  アナログ信号処理基板
６２  デジタル回路基板
６３  スケーラー回路基板
６４  ランプ駆動回路基板
６５  基板実実装領域
【図１】
2006098479.tif 000003
【図２】
2006098479.tif 000004
【図３】
2006098479.tif 000005
【図４】
2006098479.tif 000006
【図５】
2006098479.tif 000007